(57)【要約】【課題】本発明は、例えば携帯電話機等、ユーザに所持されていることが予定された携帯型電子機器等に関し、置き忘れ時の安全性を高める。【解決手段】指定時刻と指定位置とをペアにして記憶しておく記憶部と、現在時刻を取得する時刻取得部と、現在位置を取得する位置取得部と、現在時刻が指定時刻に達したときの現在位置がその指定時刻に対応して記憶されている指定位置と一致するか不一致であるかを判定する判定部と、判定部による不一致との判定結果を受けて、不一致に対応する処理を行なう不一致対応処理部とを有する。【選択図】        図６
2006262110.tif 000002
【特許請求の範囲】
【請求項１】
携帯型電子機器において、
指定時刻と指定位置とをペアに対して記憶しておく記憶部と、
現在時刻を取得する時刻取得部と、
現在位置を取得する位置取得部と、
現在時刻が指定時刻に達したときの現在位置が該指定時刻に対応して記憶されている指定位置と一致するか不一致であるかを判定する判定部と、
前記判定部による不一致との判定結果を受けて、不一致に対応する処理を行なう不一致対応処理部とを備えたことを特徴とする携帯型電子機器。
【請求項２】
前記不一致対応処理部が、この携帯型電子機器の機能の少なくとも一部を使用不能にロックするものであることを特徴とする請求項１記載の携帯型電子機器。
【請求項３】
外部との無線通信を行なう無線通信部を備え、
前記記憶部が、指定時刻と指定位置とのペアに加えて通信先アドレスを記憶しておくものであり、
前記不一致対応処理部が、前記通信先アドレスに向けて所定のメッセージを送信するものであることを特徴とする請求項１記載の携帯型電子機器。
【請求項４】
前記無線通信部が電子メールを送信する機能を有し、前記記憶部に記憶された通信先アドレスが電子メールの送信アドレスであって、
前記不一致対応処理部が、前記送信アドレスに向けて電子メールで所定のメッセージを送信するものであることを特徴とする請求項３記載の携帯型電子機器。
【請求項５】
プログラムを実行する機能を有する携帯型電子機器内で実行され、該携帯型電子機器に、
指定時刻と指定位置とをペアにして記憶しておく記憶部と、
現在時刻を取得する時刻取得部と、
現在位置を取得する位置取得部と、
現在時刻が指定時刻に達したときの現在位置が該指定時刻に対応して記憶されている指定位置と一致するか不一致であるかを判定する判定部と、
前記判定部による不一致との判定結果を受けて、不一致に対応する処理を行なう不一致対応処理部とを有する不携帯処理機能を付与するものであることを特徴とする不携帯処理プログラム。
【発明の詳細な説明】
【技術分野】
【０００１】
本発明は、例えば携帯電話機等、ユーザに所持されていることが予定された携帯型電子機器、およびその携帯型電子機器内で実行されるプログラムに関する。
【背景技術】
【０００２】
携帯電話機やＰＤＡ（Ｐｅｒｓｏｎａｌ  Ｄａｔａ  Ａｓｓｉｓｔａｎｔ）などは、ユーザによって持ち運ばれ、一日中ユーザに携帯されあるいはユーザの直ぐ傍に置かれているのが通常であり、携帯性向上のために小型化、軽量化が図られている。
【０００３】
ところが、出掛けるときに家に置き忘れたり出掛け先に置き忘れるなど、まれには置き忘れということが生じる。
【０００４】
このような場合、単なる置き忘れであること、および置き忘れた場所が盗用等のおそれのない安全な場所であることを明瞭に記憶している場合は大きな問題はないが、置き忘れたこと自体に気づかない場合もあり、置き忘れた携帯電話機等が悪用されるおそれもある。
【０００５】
ここで、特許文献１には、携帯電話機を紛失した際に、その携帯電話機に向けて特定のキーワードと暗証番号を含むメールを送信することによりその携帯電話機の機能をロックして不正使用を防ぐという技術が開示されている。
【０００６】
しかしながら、これはユーザが紛失したことを認識してはじめて有効な技術であり、紛失や置き忘れに気づかない間は全く機能しない。
【０００７】
また、特許文献２には、ＧＰＳ（Ｇｌｏｂａｌ  Ｐｏｓｉｔｉｏｎｉｎｇ  Ｓｙｓｔｅｍ）受信機が搭載された携帯端末を子供などに持たせておいて、その携帯端末から現在位置の情報を定期的に送信させ、一方、その現在位置情報を受信する管理端末には予定位置と時間帯との対応関係を記憶させておき、受信した位置情報とその時間帯に対応する予定位置とが不一致のときに、例えば親元のパソコン等に連絡するシステムが開示されている。
【０００８】
しかしながら、これは置き忘れや紛失を対象とした技術ではなく、子供等がその携帯端末を正しく所持していることが条件となる。
【特許文献１】特開２００２−１１１８５８号公報
【特許文献２】特開２００４−１８５３２９号公報
【発明の開示】
【発明が解決しようとする課題】
【０００９】
本発明は、上記事情に鑑み、置き忘れ時の安全性が高められた携帯型電子機器およびプログラムを提供することを目的とする。
【課題を解決するための手段】
【００１０】
上記目的を達成する本発明の携帯型電子機器は、
指定時刻と指定位置とをペアに対して記憶しておく記憶部と、
現在時刻を取得する時刻取得部と、
現在位置を取得する位置取得部と、
現在時刻が指定時刻に達したときの現在位置がその指定時刻に対応して記憶されている指定位置と一致するか不一致であるかを判定する判定部と、
上記判定部による不一致との判定結果を受けて、不一致に対応する処理を行なう不一致対応処理部とを備えたことを特徴とする。
【００１１】
本発明の携帯型電子機器は、指定時刻における現在位置がその指定時刻における指定位置と不一致であったときに、不一致に対応する処理を行なうものであるため、その処理内容に応じて、置き忘れ等があったときの安全性を高めることができる。
【００１２】
ここで、本発明の携帯型電子機器において、上記不一致対応処理部が、この携帯型電子機器の機能の少なくとも一部を使用不能にロックするものであることが１つの好ましい態様である。
【００１３】
また、本発明の携帯型電子機器が、外部との無線通信やを行なう無線通信部を備え、上記記憶部が指定時刻と指定位置とのペアに加えて、例えば電話番号や通信先アドレスを記憶しておくものであり、上記不一致対応処理部が、通信先アドレスに向けて、例えば音声や所定のメッセージを送信するものであることも好ましい態様であり、この場合に、上記無線通信部が電子メールを送信する機能を有し、上記記憶部に記憶された通信先アドレスが電子メールの送信アドレスであって、上記不一致対応処理部が、その送信アドレスに向けて電子メールで所定のメッセージを送信するものであることがさらに好ましい態様である。
【００１４】
ここで、この通信先アドレスあるいは送信アドレスは、指定位置と指定時刻のペアに対応づけて記憶されていてもよく、あるいは指定位置と指定時刻とのペアとは独立に記憶されていてもよい。また、通信先アドレスあるいは送信アドレスは、１つとは限らず、不一致が一旦生じた場合に複数アドレスに向けてメッセージを送信するように構成してもよい。
【００１５】
また、上記目的を達成する本発明のプログラムは、
プログラムを実行する機能を有する携帯型電子機器内で実行され、その携帯型電子機器に、
指定時刻と指定位置とをペアにして記憶しておく記憶部と、
現在時刻を取得する時刻取得部と、
現在位置を取得する位置取得部と、
現在時刻が指定時刻に達したときの現在位置がその指定時刻に対応して記憶されている指定位置と一致するか不一致であるかを判定する判定部と、
判定部による不一致との判定結果を受けて、不一致に対応する処理を行なう不一致対応処理部とを有する不携帯処理機能を付与するものであることを特徴とする不携帯処理プログラムである。
【発明の効果】
【００１６】
本発明の携帯型電子機器および不携帯処理プログラムによれば、ユーザが置き忘れに気づかない場合であっても、位置の不一致をもって、例えばロックされ、あるいは指定のアドレスに通知してユーザへの注意喚起がなされるなど、不一致に対応する処理が行なわれ、置き忘れ等に対する安全性が向上する。
【発明を実施するための最良の形態】
【００１７】
以下、本発明の実施の形態について説明する。
【００１８】
図１は、本発明の携帯型電子機器の一種である携帯電話機を含む通信システムの一例を示す模式図である。
【００１９】
ここには、携帯電話機１０と、その携帯電話機１０との間で無線通信が行なわれる基地局２０と、その基地局２０とインターネットで接続されたパーソナルコンピュータ（以下、パソコンと略記する）３０が示されている。この携帯電話機１０およびパソコン３０は、電子メール機能を有する。尚、ここでは、この携帯電話機１０は、通常はあるユーザに携行されており、パソコン３０はそのユーザによって使用され、少なくともある時間帯はその近傍にそのユーザが居ることが予定されているパソコンである。
【００２０】
図２は、携帯電話機の外観を示す斜視図である。
【００２１】
この携帯電話機１０は、互いに開閉自在な上部筐体１１と下部筐体１２とから構成されており、上部筐体１１には各種の画像を表示するＬＣＤ１１１や、耳にあてがわれて音声を発する小型のスピーカが内蔵された送話口１１２が設けられている。また、下部筐体１２には電話番号や電子メールの入力、各種モードの設定などに用いられる各種キー１２１や口元に置かれてユーザの声をピックアップするマイクロホンが内部に備えられた受話口１２２や、この携帯電話機１０を顔から離した状態で音声を聞きとることのできるだけの大型のスピーカが内蔵されたスピーカ発音口１２３が設けられている。この携帯電話機１０は、無線通信による電話の送受話機能および電子メールの送受信機能を有する。
【００２２】
図３は、図２に外観を示す携帯電話機の内部構成図である。
【００２３】
ここには、無線部１１、コントロールＬＳＩ１２、ＣＰＵ１３、不揮発メモリ１４、スピーカ／マイクロホン１５、ＬＣＤ／キー１６、時計１７、ＧＰＳ１８のブロックが示されている。
【００２４】
無線部１１は、アンテナ１１ａを介して外部と無線通信を行なうブロックであり、コントロールＬＳＩ１２は、ＣＰＵ１３の制御を受けながら、無線部１１とスピーカ／マイクロホン１５との間や無線部１１とＬＣＤ／キー１６との間、およびＣＰＵ１３と、スピーカ／マイクロホン１５、ＬＣＤ／キー１６、時計１７、およびＧＰＳ１８との間の信号の仲介や加工を担っている。
【００２５】
ＣＰＵ１３は、プログラムを実行して無線部１１およびコントロールＬＳＩ１２を制御し、また、コントロールＬＳＩ１２を介して、ＬＣＤ／キー１６、時計１７、およびＧＰＳ１８からの情報を入手する。
【００２６】
不揮発メモリ１４は、ＣＰＵ１３で実行されるプログラムや、その他、図４を参照して説明する各種情報を記憶しておくものである。
【００２７】
また、スピーカ／マイクロホン１５は、この携帯電話機１０の、主に電話機能を使用する際に用いられるものであり、ユーザに向けての送話やユーザの声の受話を担っている。
【００２８】
またＬＣＤ／キー１６は、図２に示す外観上は、ＬＣＤ１１１および各種キー１２１に相当するものであり、画像の表示およびユーザによるキー操作の検出を担っている。
【００２９】
さらに、時計１７は、現在時刻を通知するものであり、ＧＰＳ（Ｇｌｏｂａｌ  Ｐｏｓｉｔｉｏｎｉｎｇ  Ｓｙｓｔｅｍ）は、この携帯電話機１０の現在位置を検出して通知するものである。
【００３０】
図４は、図３に示す携帯電話機１０のハードウェアと、その機器電話機１０のＣＰＵ１３で実行されるプログラムとの複合により構成される、本実施形態に特有な機能（不携帯処理モード）の実現に必要な機能ブロックを示した図である。
【００３１】
ここには、キー操作部１０１が示されている。このキー操作部１０１は、図２に示す各種キー１２１と各種キー１２１の操作を検出する検出スイッチから構成されている。不携帯処理モードにおけるキー操作により入力された情報はキー操作部１０１から通常位置情報記憶部１０２に入力されて記憶される。この通常位置情報記憶部１０２は図３に示す不揮発メモリ１４内に構成されており、ここには、位置情報と場所情報がペアとなって記憶されるとともに、電子メールの送信アドレスが記憶される。
【００３２】
この図４には、ユーザによるキー操作により、時刻情報ｔ１と場所情報ｐ１とのペア、時刻情報ｔ２と場所情報ｐ２とのペア、時刻情報ｔ３と場所情報ｐ３とのペア、パソコン３０で使われているメールアドレスである送信アドレスａ、および、その送信アドレスに宛てて送信されるメッセージが記憶されている。
【００３３】
尚、ここには、送信アドレスは、送信アドレスａの１つのみ記憶されているが、複数の送信アドレスを記憶するように構成してもよく、送信アドレスを時刻情報と場所情報とのペアに対応づけて記憶するように構成してもよい。またメッセージについても、時刻情報と場所情報とのペアに対応づけて記憶するようにしてもよい。またメッセージについては、ユーザによるキー操作で入力する代わりに、あらかじめ決められたメッセージを持っていてもよい。
【００３４】
ここでは、通常位置情報記憶部１０２に記憶されている時刻情報と場所情報とのペアは、その時刻情報が示す時刻には通常であればその時刻情報とのペアで記憶されている場所情報が表わす場所にユーザが移動している予定であることを示しており、したがってこの携帯電話機１０も、そのユーザが正常に携行していたときはその場所に移動している予定のものである。
【００３５】
また、不携帯時動作制御部１０３は、キー操作部１０１から、ユーザ操作による、不携帯処理モードオン、オフの指示を受け、不携帯処理モードオンのときは、位置情報比較部１０４に対し位置情報比較処理を行なうよう指示する。
【００３６】
時刻情報制御部１０５は、ハードウェア上は図３に示す時計１７がこれに相当し、位置情報制御部１０４からの求めに応じて現在時刻を位置情報比較部１０４に通知する。
【００３７】
また、位置情報制御部１０６は、ハードウェア上は図３に示すＧＰＳ１８がこれに相当し、位置情報比較部１０４からの求めに応じて現在位置を位置情報比較部１０４に通知する。
【００３８】
位置情報比較部１０４は、通常位置情報記憶部１０２に場所情報とのペアで記憶されている時刻情報ｔ１，ｔ２，ｔ３を参照し、時刻情報制御部１０５からは定期的に現在時刻を受け取り、現在時刻が通常位置情報記憶部１０２に記憶されている時刻情報ｔ１，ｔ２，ｔ３のいずれかと一致するか否かを判定し、一致した場合には（ここでは時刻情報ｔ１と一致したものとする）、位置情報制御部１０６から現在位置の位置情報を受け取り、その現在位置が、通常位置情報記憶部１０２に、現在時刻と一致した時刻情報ｔ１とペアになって記憶されている場所情報ｐ１と所定の位置誤差の範囲内で一致するか、それともその誤差を越えて不一致であるかが判定され、その判定結果が不携帯時動作制御部１０３に通知される。
【００３９】
不携帯時動作制御部１０３は、位置情報比較部１０４から不一致であるという判定結果を受け取ると、通常位置情報記憶部１０２から送信アドレスａとメッセージを読み出してメール制御部１０８に送り、その送信アドレスａに向けてそのメッセージを電子メールで送信することを指示する。メール制御部１０８は、その指示に従って電子メールを整えて通信制御部１０９に渡し、その通信制御部１０９にその電子メールの送信を指示する。通信制御部１０９は、その指示を受けて、メール制御部１０８から受け取ったメールを送信アドレスａのメールアドレスを利用している。ユーザのパソコン３０に向けて送信する。
【００４０】
また、不携帯時動作制御部１０３は、位置情報比較部１０４から不一致であるという判定結果を受け取ると、上記のようにして送信アドレスａに向けてのメッセージの送信を指示するとともに、ロック部１０７に向けて、この携帯電話機１０のロックを指示し、ロック部１０７は、その指示を受けて、この携帯電話機１０の機能を使用不能にロックする。
【００４１】
ここで、図４に示す不携帯時動作制御部１０３、位置情報比較部１０４、ロック部１０７、およびメール制御部１０８は、ハードウェア上は図３に示す主にＣＰＵ１３がそれらの動作を担うとともに、一部はコントロールＬＳＩ１２が担っており、通信制御部１０９は、ハードウェア上は、主に無線部１１およびアンテナ１１ａが担っている。
【００４２】
本実施形態の場合、このようにして、場所情報と現在位置とが不一致の場合にユーザのパソコン３０にその旨が通知されるとともにその携帯電話機１０がロックされて使用不能となる。こうすることにより、携帯電話機１０の不正使用に対する安全性が高まる。
【００４３】
図５は、不携帯処理モードにおける機能登録時の動作フローを示すフローチャートである。
【００４４】
ユーザのキー操作により、時刻情報（ｔ）と場所情報（ｐ）（例えば出勤時刻と会社の住所など）が入力され、このキー操作により入力された情報は、図４に示す通常位置情報記憶部１０２（図３の不揮発メモリ１４）に記憶される（ステップａ１）。また、ユーザによるキー操作により、不携帯検出時の電子メールの送信アドレス（ａ）が入力されて、この送信アドレス（ａ）も図４の通常位置情報記憶部１０２に記憶され（ステップａ２）、さらに不携帯検出時のメールとして送信しようとするメッセージがキー操作により入力されて、そのメッセージも図４の通常位置情報記憶部１０２に記憶される（ステップａ３）。
【００４５】
図６は、不携帯処理モードにおける、位置検出および不一致の場合の動作フローを示すフローチャートである。
【００４６】
ここでは、現在時刻が、図４の通常位置情報記憶部１０２に場所情報ｐ１，ｐ２，ｐ３（図６では代表させてｐと記載している）とのペアで記憶されている時刻情報ｔ１，ｔ２，ｔ３（図６では代表させてｔと記載している）のいずれかと一致するか否かが定期的に判定され（ステップｂ１）、現在時刻が時刻情報ｔ１，ｔ２，ｔ３のいずれかと一致すると、次に、現在位置が、その現在時刻と一致した時刻情報（ここでは時刻情報ｔ１）とペアで記憶されている場所情報ｐ（ここでは場所情報ｐ１）と一致するか否かが判定される（ステップｂ２）。場所が一致しているときは特に何もせずに、引き続き定期的な時刻の一致のモニタが行なわれる。
【００４７】
場所が不一致であると判定されると、送信アドレスａにメッセージが電子メールで通知され（ステップｂ３）、この携帯電話機１０が使用不能となるようにロックされる（ステップｂ４）。
【００４８】
ここで、ステップｂ１とステップｂ２は、図４の位置情報比較部１０４に相当し、ステップｂ３は、図４のメール制御部１０５と、不携帯動作制御部１０３のメール制御部１０５との連携部分との複合に相当し、ステップｂ４は、図４のロック部１０７と、不携帯動作制御部１０３のロック部１０７との連携部分との複合に相当する。
【００４９】
尚、ここでは、携帯電話機１０からの電子メールによるメッセージの通知と携帯電話機１０のロックとの双方を行なう例について説明したが、それらのうちの一方を行なうだけであっても不正使用に対する安全性が高められる。
【００５０】
また、携帯電話機１０からのメッセージの通知は、必ずしも電子メールによるものである必要はなく、例えば通信先アドレスとしての電話番号を記憶しておき、その電話番号の電話に向けて音声メッセージを送ってもよい。
【００５１】
さらに、ここでは、携帯電話機１０を例に挙げて説明したが、本発明は携帯電話機１０にのみ適用されるものではなく、例えば電話機能は搭載されておらず電子メールの送受信機能が搭載されたＰＤＡやその他の携帯型電子機器についても適用することができる。
【図面の簡単な説明】
【００５２】
【図１】本発明の携帯型電子機器の一種である携帯電話機を含む通信システムの一例を示す模式図である。
【図２】携帯電話機の外観を示す斜視図である。
【図３】図２に外観を示す携帯電話機の内部構成図である。
【図４】本実施形態に特有な不携帯処理モードの実現に必要な機能ブロックを示した図である。
【図５】不携帯処理モードにおける機能登録時の動作フローを示すフローチャートである。
【図６】不携帯処理モードにおける、位置検出および不一致の場合の動作フローを示すフローチャートである。
【符号の説明】
【００５３】
１０    携帯電話機
１１    無線部
１１ａ    アンテナ
１２    コントロールＬＳＩ
１３    ＣＰＵ
１４    不揮発メモリ
１５    スピーカ／マイクロホン
１６    ＬＣＤ／キー
１７    時計
１８    ＧＰＳ
２０    基地局
３０    パーソナルコンピュータ
１０１    キー操作部
１０２    位置情報記憶部
１０３    不携帯時動作制御部
１０４    位置情報比較部
１０５    時刻情報制御部
１０６    位置情報制御部
１０７    ロック部
１０８    メール制御部
１０９    通信制御部
１１０    上部筐体
１２０    下部筐体
【図１】
2006262110.tif 000003
【図２】
2006262110.tif 000004
【図３】
2006262110.tif 000005
【図４】
2006262110.tif 000006
【図５】
2006262110.tif 000007
【図６】
2006262110.tif 000008